(57)【要約】【課題】  紙葉類の整位不良を少なくなる紙葉類繰出し収納庫を提供することを課題とする。【解決手段】  幅寄せガイドは、その上下方向の略中間部分が、幅寄せガイドと対向する積層された紙葉類の面と略平行な面上の略水平方向の軸を中心に回転可能となった可動幅寄せガイド３１、３３であり、間隔がステージ５から離れるに従って漸次狭くなる繰出し状態，間隔がステージ５から離れるに従って漸次広くなる収納状態の２つの状態に可動幅寄せガイド３１，３３を駆動する幅寄せガイド駆動手段４１と、紙幣３を繰出す際には、ステージ５が上昇するようにステージ駆動手段７を駆動すると共に、可動幅寄せガイド３１，３３が繰出し状態になるように、紙幣３を収納する際には、ステージ５が下降するようにステージ駆動手段７を駆動すると共に、可動幅寄せガイド３１、３３が収納状態になるように幅寄せガイド駆動手段４１を駆動する制御手段とで構成する。【選択図】          図１
2006082947.tif 000002
【特許請求の範囲】
【請求項１】
上下方向に積層された紙葉類が載置され、上下方向に移動可能なステージと、
該ステージを上下方向に駆動するステージ駆動手段と、
前記ステージに積層された紙葉類の対向する側面を挟むように設けられ、前記紙葉類を整位する一対の幅寄せガイドと、
積層された紙葉類の上方に設けられ、積層された紙葉類の一番上の紙葉類を繰出し、外部から搬送されてきた紙葉類を前記積層された紙葉類上に収納する紙葉類繰出し収納手段と、
を有する紙葉類繰出し収納庫において、
前記一対の幅寄せガイドのうち少なくとも一方の幅寄せガイドは、その上下方向の略中間部分が、幅寄せガイドと対向する前記積層された紙葉類の面と略平行な面上の略水平方向の軸を中心に回転可能となった可動幅寄せガイドであり、
前記一対の幅寄せガイドの間隔が前記ステージから離れるに従って漸次狭くなる繰出し状態，前記一対の幅寄せガイドの間隔が前記ステージから離れるに従って漸次広くなる収納状態の２つの状態に前記可動幅寄せガイドを駆動する幅寄せガイド駆動手段と、
前記ステージから前記紙葉類を繰出す際には、前記ステージが上昇するように前記ステージ駆動手段を駆動すると共に、前記幅寄せガイドが繰出し状態になるように前記幅寄せガイド駆動手段を駆動し、前記ステージに紙葉類を収納する際には、前記ステージが下降するように前記ステージ駆動手段を駆動すると共に、前記幅寄せガイドが収納状態になるように前記幅寄せガイド駆動手段を駆動する制御手段と、
を有することを特徴とする紙葉類繰出し収納庫。
【請求項２】
前記一対の幅寄せガイドの両方を可動幅寄せガイドとし、
前記幅寄せガイド駆動手段は、前記両方の可動幅寄せガイドを駆動することを特徴とする請求項１記載の紙葉類繰出し収納庫。
【請求項３】
前記幅寄せガイド駆動手段は、
前記可動幅寄せガイドを繰出し状態、収納状態のうちの何れかの状態に付勢する付勢手段と、
前記可動幅寄せガイドを駆動するソレノイドと、
を有することを特徴とする請求項１又は２記載の紙葉類繰出し収納庫。
【請求項４】
前記ステージの前記幅寄せガイドと対向する面に、前記幅寄せガイド方向に突出する凸部を形成し、
前記幅寄せガイドの前記ステージと対抗する面に、前記ステージの凸部が嵌合する凹部を形成したことを特徴とする請求項１乃至３のいずれかに記載の紙葉類繰出し収納庫。
【発明の詳細な説明】
【技術分野】
【０００１】
本発明は、上下方向に積層された紙葉類が載置され、上下方向に移動可能なステージと、該ステージを上下方向に駆動するステージ駆動手段と、前記ステージに積層された紙葉類の対向する側面を挟むように設けられ、前記紙葉類を整位する一対の幅寄せガイドと、積層された紙葉類の上方に設けられ、積層された紙葉類の一番上の紙葉類を繰出し、外部から搬送されてきた紙葉類を前記積層された紙葉類上に収納する紙葉類繰出し収納手段とを有する紙葉類繰出し収納庫に関する。
【背景技術】
【０００２】
現金処理装置（ＡＴＭ、ＣＤ）や複写機等の画像形成装置において、紙葉類を収納し、収納した紙葉類を積層し、積層された紙葉類を繰出す紙葉類繰出し収納庫が設けられる。
ここで、一般的な現金処理装置の構成を図７に示す。尚、現金処理装置の一種である現金自動預け払い機（ＡＴＭ）では、紙幣に加えて硬貨を扱う機種もあるが、本例では紙幣の取り扱いだけを対象とする。
【０００３】
紙幣処理ユニット１０１は、利用者が入金する時は、入出金部１０２に投入された紙葉類としての紙幣を取り込み、一方利用者が出金する時は、入出金部１０２に支払金額分の紙幣を払い出すものである。現金カセット１０３は、金融機関の担当者が支払用の現金を詰めておくカセットである。リジェクトボックス１０４は、紙幣処理ユニット１０１内で真券と判定されなかった紙幣（偽札や損傷の著しい紙幣等）を回収するユニットである。カード処理部１０５は、キャッシュカードを処理する手段である。通帳処理部１０６は、預貯金通帳に取引明細を印字する手段である。操作パネル１０７は、利用者が入出金の指示、暗証番号、金額、振込先等取引に必要な情報を入力する手段である。制御部１０８は、現金処理装置内の各部の制御及び金融機関の本部にあるコンピュータとのデータ通信を行う手段である。
【０００４】
次に、図７の紙幣処理ユニット１０１の構成を図８を用いて説明する。
紙幣処理ユニット１０１は、紙幣を有効利用するために入金された紙幣を出金時に支払用として再使用するリサイクル型となっている。紙葉類繰出し収納庫としてのスタッカ１１０は、入金された紙幣１１１及び出金する紙幣１１１を一時蓄えておく手段である。スタッカ１１０は金種別に複数台が紙幣処理ユニット１０１内に搭載されている。スタッカ１１０には、スタッカ１１０内にスタッカ１１０内に紙幣１１１を収納し、スタッカ１１０内に積層された紙幣１１１を一枚ずつ分離して搬送路１１２へ送り出すための紙葉類繰り出し収納手段１１３が設けられている。紙幣を搬送する搬送路１１２の分岐部には紙幣の行き先を切り換えるためのポイントがある。入出金部１０２と現金カセット１０３の下部にも紙葉類繰り出し収納手段１１３が設けられている。鑑別部１１４で、スタッカ１１０や入出金部１０２から搬送されてきた紙幣の枚数、真贋、金種等を鑑別する。鑑別部１１４で真券と判定されなかった紙幣はリジェクトボックス１０４へ収納される。スタッカ１１０内の紙幣枚数が減少すると現金カセット１０３から紙幣が適宜補充される。
【０００５】
紙幣処理ユニット１０１における紙幣の流れを以下に示す。
(1)入金時：入出金部１０２→搬送路１１２→鑑別部１１４→搬送路１１２→スタッカ１１０
(2)出金時：スタッカ１１０→搬送路１１２→鑑別部１１４→搬送路１１２→入出金部１０２
(3)補充時：現金カセット１０３→搬送路１１２→スタッカ１１０
このような現金処理機に用いられるスタッカ１１０の構造を図９を用いて説明する。２０１は紙幣１１１が積層され、紙幣の積層方向（矢印方向）に移動可能なステージである。このステージ２０１は図示しないステージ駆動手段により、紙幣１１１の積層方向に駆動されるようになっている。
【０００６】
そして、ステージ２０１に積層された紙幣１１１の対向する側面１１１ａ、１１１ｂを挟むように、紙幣１１１の積層方向に沿って設けられ、紙幣１１１を整位する一対の幅寄せガイド２０３、２０５が設けられている。
【０００７】
また、積層された紙幣１１１の上方には、ステージ２０１上に積層された紙幣１１１を繰出し、外部から搬送されてきた紙幣１１１をステージ２０１上に積層するように収納する紙葉類繰出し収納手段１１３が設けられている。
【０００８】
このような積層された紙葉類を整位する幅寄せガイドとしては、下記特許文献１中に「サイドフェンス」として記載されている。
【特許文献１】特開平５−１３２２４０号公報（図１−図４）
【発明の開示】
【発明が解決しようとする課題】
【０００９】
しかし、図９に示す構成のスタッカ１１０の幅寄せガイド２０３、２０５の上部には、幅寄せガイド２０３、２０５の間隔がステージ２０１から離れるに従って漸次広くなるような斜面部２０３ａ、２０５ａが形成されることがある。このような斜面部２０３ａ、２０５ａを設けることで、紙幣１１１が収納される際に、整位されていない紙幣１１１が、斜面部２０３ａ、２０５ａの何れか一方の斜面部に摺接しながら下降することにより、紙幣１１１が整位される。更に詳しく説明すると、斜面部２０３ａ、２０５ａの何れか一方の斜面部に摺接しながら下降する場合、斜面部２０３ａ、２０５ａに作用する力の水平方向分力により紙幣１１１が整位される。
【００１０】
しかし、紙幣１１１の収納の場合、斜面部２０３ａ、２０５ａに作用する力は、紙幣１１１の自重のみであり、整位させる水平方向分力が小さく、整位されない紙幣１１１が生じる問題点がある。
【００１１】
本発明は、上記問題点に鑑みてなされたもので、その課題は、紙葉類の整位不良を少なくすることができる紙葉類繰出し収納庫を提供することにある。
【課題を解決するための手段】
【００１２】
請求項１に係る発明は、上下方向に積層された紙葉類が載置され、上下方向に移動可能なステージと、該ステージを上下方向に駆動するステージ駆動手段と、前記ステージに積層された紙葉類の対向する側面を挟むように設けられ、前記紙葉類を整位する一対の幅寄せガイドと、積層された紙葉類の上方に設けられ、積層された紙葉類の一番上の紙葉類を繰出し、外部から搬送されてきた紙葉類を前記積層された紙葉類上に収納する紙葉類繰出し収納手段と、を有する紙葉類繰出し収納庫において、前記一対の幅寄せガイドのうち少なくとも一方の幅寄せガイドは、その上下方向の略中間部分が、幅寄せガイドと対向する前記積層された紙葉類の面と略平行な面上の略水平方向の軸を中心に回転可能となった可動幅寄せガイドであり、前記一対の幅寄せガイドの間隔が前記ステージから離れるに従って漸次狭くなる繰出し状態，前記一対の幅寄せガイドの間隔が前記ステージから離れるに従って漸次広くなる収納状態の２つの状態に前記可動幅寄せガイドを駆動する幅寄せガイド駆動手段と、前記ステージから前記紙葉類を繰出す際には、前記ステージが上昇するように前記ステージ駆動手段を駆動すると共に、前記幅寄せガイドが繰出し状態になるように前記幅寄せガイド駆動手段を駆動し、前記ステージに紙葉類を収納する際には、前記ステージが下降するように前記ステージ駆動手段を駆動すると共に、前記幅寄せガイドが収納状態になるように前記幅寄せガイド駆動手段を駆動する制御手段と、を有することを特徴とする紙葉類繰出し収納庫である。
【００１３】
前記ステージから前記紙葉類を繰出す際には、制御部は、前記ステージが上昇するように前記ステージ駆動手段を駆動すると共に、前記幅寄せガイドが繰出し状態になるように前記幅寄せガイド駆動手段を駆動する。
【００１４】
ステージが上昇すると、紙葉類は可動幅寄せガイドに摺接しながら上昇する。このとき、可動幅寄せガイドに作用する力の水平方向分力により紙葉類が整位される。
前記ステージに紙葉類を収納する際には、制御部は、前記ステージが下降するように前記ステージ駆動手段を駆動すると共に、前記幅寄せガイドが収納状態になるように前記幅寄せガイド駆動手段を駆動する。
【００１５】
ステージが下降すると、紙葉類は可動幅寄せガイドに摺接しながら下降する。このとき、可動幅寄せガイドに作用する力の水平方向分力により紙葉類が整位される。
請求項２に係る発明は、前記一対の幅寄せガイドの両方を可動幅寄せガイドとし、前記幅寄せガイド駆動手段は、前記両方の可動幅寄せガイドを駆動することを特徴とする請求項１記載の紙葉類繰出し収納庫である。
【００１６】
前記ステージから前記紙葉類を繰出す際には、制御部は、前記ステージが上昇するように前記ステージ駆動手段を駆動すると共に、一対の可動幅寄せガイドが繰出し状態になるように前記幅寄せガイド駆動手段を駆動する。
【００１７】
ステージが上昇すると、紙葉類は一対の可動幅寄せガイドに摺接しながら上昇する。このとき、可動幅寄せガイドに作用する力の水平方向分力により紙葉類が整位される。
前記ステージに紙葉類を収納する際には、制御部は、前記ステージが下降するように前記ステージ駆動手段を駆動すると共に、前記一対の幅寄せガイドが収納状態になるように前記幅寄せガイド駆動手段を駆動する。
【００１８】
ステージが下降すると、紙葉類は一対の可動幅寄せガイドに摺接しながら下降する。このとき、可動幅寄せガイドに作用する力の水平方向分力により紙葉類が整位される。
請求項３に係る発明は、前記幅寄せガイド駆動手段は、前記可動幅寄せガイドを繰出し状態、収納状態のうちの何れかの状態に付勢する付勢手段と、前記可動幅寄せガイドを駆動するソレノイドとを有することを特徴とする請求項１又は２記載の紙葉類繰出し収納庫である。
【００１９】
可動幅寄せガイドが繰出し状態となるように付勢手段が付勢している場合は、ソレノイドを駆動することにより可動幅寄せガイドは収納状態となる。逆に、可動幅寄せガイドが収納状態となるように付勢手段が付勢している場合は、ソレノイドを駆動することにより可動幅寄せガイドは繰出し状態となる。
【００２０】
請求項４に係る発明は、前記ステージの前記幅寄せガイドと対向する面に、前記幅寄せガイド方向に突出する凸部を形成し、前記幅寄せガイドの前記ステージと対抗する面に、前記ステージの凸部が嵌合する凹部を形成したことを特徴とする請求項１乃至３のいずれかに記載の紙葉類繰出し収納庫である。
【００２１】
前記ステージの前記幅寄せガイドと対向する面に、前記幅寄せガイド方向に突出する凸部を形成し、前記幅寄せガイドの前記ステージと対抗する面に、前記ステージの凸部が嵌合する凹部を形成したことにより、ステージと、幅寄せガイドとの間に直線的な隙間がなくなる。
【発明の効果】
【００２２】
請求項１〜請求項４に係る発明によれば、前記一対の幅寄せガイドのうち少なくとも一方の幅寄せガイドは、その上下方向の略中間部分が、対向する積層された前記紙葉類の面上の略水平な軸を中心に回転可能となった可動幅寄せガイドであり、前記一対の幅寄せガイドの間隔が前記ステージから離れるに従って漸次狭くなる繰出し状態，前記一対の幅寄せガイドの間隔が前記ステージから離れるに従って漸次広くなる収納状態の２つの状態に前記可動幅寄せガイドを駆動する幅寄せガイド駆動手段と、前記ステージから前記紙葉類を繰出す際には、前記ステージが上昇するように前記ステージ駆動手段を駆動すると共に、前記幅寄せガイドが繰出し状態になるように前記幅寄せガイド駆動手段を駆動し、前記ステージに紙葉類を収納する際には、前記ステージが下降するように前記ステージ駆動手段を駆動すると共に、前記幅寄せガイドが収納状態になるように前記幅寄せガイド駆動手段を駆動する制御手段とを有することにより、紙葉類の収納時と、繰出し時との２回にわたって紙葉類の整位が行われる。従って、従来の収納時のみの紙葉類の整位に比べ、紙葉類の整位不良を少なくすることができる。
【００２３】
また、紙葉類の収納時には、紙葉類の自重が紙葉類を整位する力となるが、紙葉類の繰出し時には、ステージの上昇力が紙葉類を整位する力となる。そして、ステージの上昇力を紙葉類の自重よりも大きく設定することが可能であるので、紙葉類の繰出し時には収容時より大きな整位力を得ることができ、紙葉類の整位不良が少なくすることができる。
【００２４】
請求項２に係る発明によれば、前記一対の幅寄せガイドの両方を可動幅寄せガイドとし、前記幅寄せガイド駆動手段は、前記両方の可動幅寄せガイドを駆動することにより、一方のみを可動幅寄せガイドとする場合に比べ、紙葉類の整位不良を少なくすることができる。
【００２５】
請求項３に係る発明は、前記幅寄せガイド駆動手段は、前記可動幅寄せガイドを繰出し状態、収納状態のうちの何れかの状態に付勢する付勢手段と、前記可動幅寄せガイドを駆動するソレノイドとを有することにより、ソレノイドの駆動は、収納時、又は繰出し時の何れか一方のみでよく、装置の耐久性が向上する。
【００２６】
請求項４に係る発明によれば、前記ステージの前記幅寄せガイドと対向する面に、前記幅寄せガイド方向に突出する凸部を形成し、前記幅寄せガイドの前記ステージと対抗する面に、前記ステージの凸部が嵌合する凹部を形成したことにより、ステージと、幅寄せガイドとの間に直線的な隙間がなくなる。よって、紙葉類がステージと、幅寄せガイドとの間の隙間に巻き込まれるのを防止できる。
【発明を実施するための最良の形態】
【００２７】
本形態例は、本発明を現金処理装置に設けられる紙幣繰出し収納庫（スタッカ）に適用した形態例である。
最初に、図１を用いて形態例の機械的構成を説明する。図において、紙幣繰出し収納庫１内には、上下方向に積層された紙幣３が載置され、図示しないガイドに案内されて上下方向移動可能なステージ５が設けられている。このステージ５はステージ駆動手段７によって上下方向に駆動されるようになっている。本形態例のステージ駆動手段７は、紙幣繰出し収納庫１の上部に設けられたアッパプーリ９と下部に設けられたロアプーリ１１と、アッパプーリ９，ロアプーリ１１に巻き掛けられ、ステージ５に接続されたベルト１３と、ロアプーリ１１を駆動するモータ１５とからなっている。このモータ１５を正逆方向に回転させることで、ステージ５が昇降する。
【００２８】
積層された紙幣３の上方には、積層された紙幣３の一番上の紙幣を繰出し、外部から搬送されてきた紙幣を積層された紙幣３上に収納する紙幣繰出し収納手段２１が設けられている。
【００２９】
ここで、図１の矢印Ａ方向の矢視図である図３を用いて紙幣繰出し収納手段２１を説明する。図において、紙幣繰出し収納手段２１は、積層された紙幣３の一番上の紙幣が当接可能で、当接した状態で、回転することにより一番上の紙幣３を繰出すピックローラ２３を有している。更に、大径フィードローラ２５，この大径フィードローラ２５に当接する３つの小径フィードローラ２７，２９、３０からなり、大径フィードローラ２５、小径フィードローラ２７，２９、３０で紙幣３を挟持搬送するローラ組を有している。
【００３０】
そして、図３（ａ）に示すように、大径フィードローラ２５，この大径フィードローラ２５に当接する３つの小径フィードローラ２７，２９、３０からなるローラ組を矢印方向に回転させることで、外部からやってきた紙幣３を紙幣繰出し収納庫１内に収納することができる。逆に、図３（ｂ）に示すように、ステージ５を上昇させ、積層された紙幣３をピックローラ２３に当接させ、ピックローラ２３、大径フィードローラ２５，この大径フィードローラ２５に当接する３つの小径フィードローラ２７，２９、３０からなるローラ組を矢印方向に回転させると、積層された紙幣３の一番上の紙幣がピックローラ２３によって繰出され、続いて大径フィードローラ２５，この大径フィードローラ２５に当接する３つの小径フィードローラ２７，２９、３０とからなるローラ組により挟持搬送されて紙幣３が外部に繰出される。
【００３１】
図１に戻って、ステージ５に積層された紙幣３の対向する側面３ａ、３ｂを挟むように、可動幅寄せガイド３１、３３が設けられている。
可動幅寄せガイド３１、３３は、その上下方向の略中間部分が、可動幅寄せガイド３１、３３と対向する積層された紙葉類３の面（側面３ａ、３ｂ）と略平行な面上の略水平方向の軸３１ａ、３３ａを中心に回転可能となっている。
【００３２】
これら一対の可動幅寄せガイド３１、３３は、幅寄せガイド駆動手段４１により、一対の幅寄せガイド３１、３３の間隔がステージ５から離れるに従って漸次狭くなる繰出し状態（図２に示す状態），一対の幅寄せガイド３１、３３の間隔がステージ５から離れるに従って漸次広くなる収納状態（図１に示す状態）の２つの状態に駆動される。本形態例の幅寄せガイド駆動手段４１は、可動幅寄せガイド３１、３３の下部にピン４３、４５を用いて上方の端部側が回転可能に取り付けられた従動リンク４７、４９と、上下方向に進退するスピンドル５３を有したソレノイド５１と、スピンドル５３に取り付けられ、両方の端部側に従動リンク４７、４９の下方の端部が接続される駆動リンク５９とからなっている。従動リンク４７、４９と駆動リンク５９との接続は、駆動リンク５５の両方の端部側形成された長穴５５、５７に、従動リンク４７，４９の下方の端部に設けられたスライダ６５、６７が移動可能に係合することでなされている。また、可動幅寄せガイド３１、３３は一端部が可動幅寄せガイド３１、３３の上部に係止され、他端部が紙幣繰出し収納庫１の図示しないフレーム側に係止されたスプリング６１、６３の付勢力により、可動幅寄せガイド３１、３３が繰出し状態（図２に示す状態）となるように付勢されている。
【００３３】
従って、可動幅寄せガイド３１、３３が繰出し状態で、ソレノイド５１を駆動してそのスピンドル４９を後退させると、駆動リンク５９が下降し、従動リンク４９を介して可動幅寄せガイド３１、３３は図１に示す主蘊奥状態となる。
【００３４】
また、図１の切断線Ｂ−Ｂでの断面を示す図６に示すように、ステージ５の可動幅寄せガイド３１、３３と対向する面に、可動幅寄せガイド３１、３３方向に突出する凸部５ａを形成し、可動幅寄せガイド３１、３３のステージ５と対抗する面に、ステージ５の凸部５ａが嵌合する凹部３１ｂ、３３ｂを形成し、ステージ５と、可動幅寄せガイド３１、３３との間に直線的な隙間がないようにした。
【００３５】
次に、図４を用いて本形態例の紙幣繰出し収納庫の電気的構成を説明する。図において、７１は入金信号、出金信号を取り込んで、ステージ駆動手段７、幅寄せガイド駆動手段４１、紙幣繰出し収納手段２１を制御する制御部である。
【００３６】
ここで、制御部７１の作動を図５を用いて説明する。紙幣繰出し収納庫１の可動幅寄せガイド３１、３３は、スプリング６１、６３の付勢力により、ソレノイド５１が通電されない状態では、図２に示す繰出し状態となっている。
【００３７】
制御部７１は、入金信号又は出金信号が入力されるまで待機し（ステップ１、２）、入金信号が入力されると、幅寄せガイド駆動手段４１のソレノイド５１を駆動して、図１に示す収納状態とする（ステップ３）。そして入金動作を行う（ステップ４）。具体的には、紙幣繰出し収納手段２１を図３（ａ）に示すように大径フィードローラ２５，この大径フィードローラ２５に当接する３つの小径フィードローラ２７，２９、３０からなるローラ組を矢印方向に回転させることで、紙幣繰出し収納庫１の外部からやってきた紙幣３（入金される紙幣３）を紙幣繰出し収納庫１内に収納する。また、ステージ５上に積層される紙幣３の量に応じて、ステージ駆動手段７のモータ１５を駆動して、ステージ５を下降させる。このステージ５の効果により、紙幣３の整位が行われる。入金が完了すると（ステップ５）、一連の作動を停止する。
【００３８】
一方、出金信号が入力されると、出金動作を行う（ステップ６）。具体的には、紙幣繰出し収納手段２１を図３（ｂ）に示すように、ステージ駆動手段７のモータ１５を駆動して、ステージ５を上昇させ、積層された紙幣３をピックローラ２３に当接させる。この時、紙幣３の整位が行われる。図３（ｂ）に示すように、ピックローラ２３、大径フィードローラ２５，この大径フィードローラ２５に当接する３つの小径フィードローラ２７，２９、３０からなるローラ組を矢印方向に回転させて、紙幣３を１枚ずつ紙幣繰出し収納庫１の外部へ繰出す。出金が完了すると（ステップ７）、一連の作動を停止する。
【００３９】
このような構成によれば、以下のような効果を得ることができる。
(1)紙幣３の入金時（収納時）と、出金時（繰出し時）との２回にわたって紙幣３の整位が行われる。従って、従来の入金時（収納時）のみの紙幣３の整位に比べ、紙幣３の整位不良を少なくすることができる。
【００４０】
(2)紙幣３の入金時（収納時）には、紙幣３の自重が紙幣３を整位する力となるが、紙幣３の出金時（繰出し時）には、ステージ５の上昇力が紙幣３を整位する力となる。そして、ステージ５の上昇力を紙幣３の自重よりも大きく設定することが可能であるので、紙幣３の出金時（繰出し時）には入金時（収容時）より大きな整位力を得ることができ、紙幣３の整位不良が少なくすることができる。
【００４１】
(3)一対の幅寄せガイドの両方を可動幅寄せガイド３１、３３とし、幅寄せガイド駆動手段４１は、前記両方の可動幅寄せガイド３１、３３を駆動することにより、一方のみを可動幅寄せガイドとする場合に比べ、紙幣３の整位不良を少なくすることができる。
【００４２】
(4)幅寄せガイド駆動手段４１は、可動幅寄せガイド３１、３３を繰出し状態に付勢するスプリング（付勢手段）６１、６３と、可動幅寄せガイド３１、３３を駆動するソレノイド５１とを有することにより、ソレノイド５１の駆動は、入金時（収納時）のみでよく、装置の耐久性が向上する。
【００４３】
(5)ステージ５の可動幅寄せガイド３１、３３と対向する面に、可動幅寄せガイド３１、３３方向に突出する凸部５ａを形成し、可動幅寄せガイド３１、３３のステージ５と対抗する面に、ステージ５の凸部５ａが嵌合する凹部３１ｂ、３３ｂを形成し、ステージ５と、可動幅寄せガイド３１、３３との間に直線的な隙間がないようにしたことにより、紙幣３がステージ５と、可動幅寄せガイド３１，３３との間の隙間に巻き込まれるのを防止できる。
【００４４】
尚、本発明は上記形態例に限定するものではない。上記形態例では、現金処理装置の紙幣繰出し収納庫で説明を行ったが、複写機、プリンター等の画像形成装置の紙葉繰出し収納庫にも適用できる。また、一対の幅寄せガイドのうち、両方の幅寄せガイドを可動幅寄せガイドとしたが、少なくともどちらか一方の幅寄せガイドを可動幅寄せガイドとすることで、本願発明の効果は得られる。
【００４５】
更に、幅寄せガイド駆動手段４１のスプリング６１、６３は、可動幅寄せガイド３１、３３を繰出し状態に付勢するようにしたが、逆に、可動幅寄せガイド３１、３３を収納状態にするように付勢するようにしてもよい。この場合、ソレノイド５１は出金時（繰出し時）に駆動される。
【図面の簡単な説明】
【００４６】
【図１】形態例の紙幣繰出し収納庫の機械的構成を説明する図である。
【図２】図１における繰出し状態を説明する図である。
【図３】図１の紙幣繰出し収納手段を説明する図で、図１の矢印Ａ方向の矢視図である。
【図４】形態例の紙幣繰出し収納庫の電気的構成を説明するブロック図である。
【図５】図４の制御部の作動を説明するフロー図である。
【図６】図１の切断線Ｂ−Ｂでの断面を示す図である。
【図７】現金処理装置の構成図である。
【図８】図７の紙幣処理ユニットの構成図である。
【図９】図８のスタッカを説明する図である。
【符号の説明】
【００４７】
１  紙幣繰出し収納庫
３  紙幣
５  ステージ
７  ステージ駆動手段
３１、３３  可動幅寄せガイド
４１  幅寄せガイド駆動手段
７１  制御部
【図１】
2006082947.tif 000003
【図２】
2006082947.tif 000004
【図３】
2006082947.tif 000005
【図４】
2006082947.tif 000006
【図５】
2006082947.tif 000007
【図６】
2006082947.tif 000008
【図７】
2006082947.tif 000009
【図８】
2006082947.tif 000010
【図９】
2006082947.tif 000011